(57)【要約】      （修正有）【課題】レンガを簡単に円形に組み上げるための補助となるレンガ組用補助部材を提供する。【解決手段】市販のレンガ２００を円形に組み付ける際に、レンガ２００とレンガ２００との間の隙間に介在されるレンガ組用補助部材であって、二等辺三角形状の頂角の部分がカットされた略台形状を呈し、市販のレンガ２００と同等の厚さ寸法を有し、かつ長さが等しい二辺１１０Ａの長さ寸法は、市販のレンガ２００の長辺２１０より短く設定されている。【選択図】図２
0003135792.tif 000002
【実用新案登録請求の範囲】
【請求項１】
市販のレンガを円形に組み付ける際に、レンガとレンガとの間の隙間に介在されるレンガ組用補助部材であって、平面視二等辺三角形状であり、市販のレンガと同等の厚さ寸法を有し、かつ長さが等しい二辺の長さ寸法は、市販のレンガの長辺より短く設定されていることを特徴とするレンガ組用補助部材。
【請求項２】
市販のレンガを円形に組み付ける際に、レンガとレンガとの間の隙間に介在されるレンガ組用補助部材であって、平面視二等辺三角形状の頂角の部分がカットされて得られる台形状であり、市販のレンガと同等の厚さ寸法を有し、かつ長さが等しい二辺の長さ寸法は、市販のレンガの長辺より短く設定されていることを特徴とするレンガ組用補助部材。
【請求項３】
発泡ポリエチレン、発泡スチロール、石綿板、陶磁器又はゴム系素材で構成されていることを特徴とする請求項１又は２記載発泡スチロールのレンガ組用補助部材。
【考案の詳細な説明】
【技術分野】
【０００１】
本考案は、市販のレンガを円形に組み付ける際に、レンガとレンガとの間の隙間に介在されるレンガ組用補助部材に関する。
【背景技術】
【０００２】
市販のレンガは一般的に直方体状或いは立方体状に形成されている。かかるレンガを組み合わせる場合、四角形には容易に組み上げることができる。そして、このレンガ同士は、砂とセメントとを水で混練したモルタルで接合される。
【０００３】
モルタルをレンガに均等に塗り付けることはかなりの熟練を要するので、一般の家庭で行われるガーデニングのレベルでは、レンガを用いた花壇作りは上級者レベルのものとなっている。また、モルタルを使わず接着剤で接合することも可能であるが、レンガを平水に配置することもかなりの熟練を要するので、やはりレンガを用いた花壇作りは上級者レベルのものとなっている。
【０００４】
また、レンガは直方体状又は立方体状に形成されているため、円形に並べると、レンガとレンガとの間に大きな隙間ができてしまう。このため、レンガを円形に組み合わせる花壇作りはより難しいものとなっている。
【０００５】
また、レンガを円形にかつ上下方向で互い違いに複数段にわたって組み合わせると、下段のレンガとその上のレンガとの接合面が小さくなる。これは、モルタル等の接合材料によって上下のレンガを接合させても、あまり強固に接合できない。
【０００６】
接合面を大きくするために、上下方向で互い違いにならないように組み合わせると横方向の接合ができず強度的に弱くなるので、上下方向で互い違いにならないように組み合わせることは行われていない。
【０００７】
このため、レンガを円形に組み合わせること、特に複数段にわたって組み合わせることは、行われていないのが現状である。
【０００８】
レンガを円形に組み合わせるものとしては、実用新案登録第３１２４６５２号公報記載のブロックがある。このブロックは、『円弧状に形成されたブロックであって、前記ブロックの半径方向の内側の端面と、周方向の両端面において、前記ブロックの厚さ方向に延設された凸状の目地保持部を設け、前記周方向の両端面の目地保持部は、互いに前記半径方向にずらして設けた』ものである。
【０００９】
【特許文献１】実用新案登録第３１２４６５２号公報
【考案の開示】
【考案が解決しようとする課題】
【００１０】
しかしながら、ガーデニングの世界では、円形になった花壇の要求が大きい。特に一般の家庭で行われるガーデニングのレベルでは、レンガを簡単に円形に組み上げることができる部材が強く望まれていた。
【００１１】
本考案は、上記事情に鑑みて創案されたもので、レンガを簡単に円形に組み上げるための補助となるレンガ組用補助部材を提供することを目的としている。
【課題を解決するための手段】
【００１２】
本考案に係るレンガ組用補助部材は、市販のレンガを円形に組み付ける際に、レンガとレンガとの間の隙間に介在されるレンガ組用補助部材であって、平面視二等辺三角形状であり、市販のレンガと同等の厚さ寸法を有し、かつ長さが等しい二辺の長さ寸法は、市販のレンガの長辺より短く設定されている。
【００１３】
また、本考案に係る他のレンガ組用補助部材は、市販のレンガを円形に組み付ける際に、レンガとレンガとの間の隙間に介在されるレンガ組用補助部材であって、平面視二等辺三角形状の頂角の部分がカットされて得られる台形状であり、市販のレンガと同等の厚さ寸法を有し、かつ長さが等しい二辺の長さ寸法は、市販のレンガの長辺より短く設定されている。
【００１４】
これらのレンガ組用補助部材は、発泡ポリエチレン、発泡スチロール、石綿板、陶磁器又はゴム系素材で構成されている。
【考案の効果】
【００１５】
本考案に係るレンガ組用補助部材は、レンガとレンガとの間に介在させることにより、レンガを容易に円形に組み上げることができる。しかも、レンガを複数段に組み上げる際に、上段のレンガは下段のレンガ組用補助部材と接している部分でも接着剤やモルタルで接合することができるので、より安定してレンガを複数段に組み上げることが可能となる。
【考案を実施するための最良の形態】
【００１６】
図１は本考案の第１の実施の形態に係るレンガ組用補助部材の概略的斜視図、図２は本考案の第１の実施の形態に係るレンガ組用補助部材を用いてレンガを円形に組み合わせた状態を示す概略的平面図、図３は本考案の第１の実施の形態に係るレンガ組用補助部材を用いてレンガを円形に組み合わせた状態を示す概略的平面図、図４は本考案の第１の実施の形態に係るレンガ組用補助部材を用いてレンガを円形に組み合わせた状態を示す概略的斜視図、図５は本考案の第１の実施の形態に係るレンガ組用補助部材を用いてレンガを円形かつ３段に組み合わせた状態の概略的斜視図、図６は本考案の第２の実施の形態に係るレンガ組用補助部材の概略的斜視図、図７は本考案の第２の実施の形態に係るレンガ組用補助部材を用いてレンガを円形に組み合わせた状態を示す概略的平面図である。
【００１７】
本考案の第１の実施の形態に係るレンガ組用補助部材１００Ａは、市販のレンガ２００を円形に組み付ける際に、レンガ２００とレンガ２００との間の隙間に介在されるレンガ組用補助部材であって、二等辺三角形状の頂角の部分がカットされた略台形状を呈し、市販のレンガ２００と同等の厚さ寸法を有し、かつ長さが等しい二辺１１０Ａの長さ寸法は、市販のレンガ２００の長辺２１０より短く設定されている。
【００１８】
一般に市販されているレンガ２００は、その大きさがＪＩＳで規定されており、最も大きく最も一般的な全形と称されるタイプのものは、長辺×短辺×厚さが、２１０ｍｍ×１００ｍｍ×６０ｍｍになっている。
従って、本考案の実施の形態に係るレンガ組用補助部材１００Ａは、図１に示すように、長さが等しい二辺１１０Ａ（長辺）の長さ寸法は１５０ｍｍとなっており、市販のレンガ２００の長辺より短く設定されている。
【００１９】
また、このレンガ組用補助部材１００Ａの厚さ寸法は６０ｍｍであり、市販されているレンガ２００の厚さ寸法と等しく設定されている。また、このレンガ組用補助部材１００Ａの底辺１５０Ａ（短辺）の長さ寸法は２０ｍｍに設定されている。
【００２０】
なお、このレンガ組用補助部材１００Ａの各部の寸法は、上述した数値に限定されることがないのはいうまでもない。
【００２１】
このレンガ組用補助部材１００Ａは、発泡ポリエチレン、発泡スチロール、石綿板、陶磁器又はゴム系素材のような屋外での使用によって劣化することなく、ある程度の圧力を加えても変形しない素材から構成されている。しかし、このレンガ組用補助部材１００Ａの素材は、上述した例に限定されることなく、レンガと同等の素材から構成されることもある。
【００２２】
次に、このように構成されたレンガ組用補助部材１００Ａによって、市販のレンガ２００を円形に組み上げる手順について説明する。
まず、レンガ組用補助部材１００Ａの左右両側に１つずつレンガ２００を置く。すなわち、レンガ組用補助部材１００Ａの２つの長辺１１０Ａにレンガ２００の長辺２１０が接するように配置するのである。そして、レンガ２００の角部２２０同士が接するようにする。すなわち、２つのレンガ２００は、レンガ組用補助部材１００Ａを挟んで略Ｖ字形状に配置されることになる。
【００２３】
これを繰り返すことにより、図２に示すように、レンガ２００とレンガ２００との間にレンガ組用補助部材１００Ａが介在された状態でレンガ２００を円形に組み上げることができる。なお、レンガ２００とレンガ組用補助部材１００Ａとは適宜な接着剤やモルタルで接合するものとする。
【００２４】
図２に示すような状態において、レンガ組用補助部材１００Ａの上にレンガ２００を載置し、レンガ２００の上にレンガ組用補助部材１００Ａを載置することにより、レンガ２００を複数段に組み上げることができる（図５参照）。この場合、レンガ組用補助部材１００Ａがないと、下段のレンガ２００と上段のレンガ２００とは僅かに接するだけであるので、接している部分でのみ接着剤やモルタルで接合することになるが、レンガ組用補助部材１００Ａがあると、上段のレンガ２００は下段のレンガ組用補助部材１００Ａと接している部分でも接着剤やモルタルで接合することができるので、より安定してレンガ２００を複数段に組み上げることが可能となる。
【００２５】
また、図３や図４に示すように、レンガ２００の角部２２０と、レンガ組用補助部材１００Ａの角部１３０Ａが接するようにして、レンガ２００とレンガ組用補助部材１００Ａとを組み合わせてレンガ２００を円形に組み上げることも可能となる。
【００２６】
さらに、このレンガ組用補助部材１００Ａは、二等辺三角形の頂角の部分をカットして得られる台形状に形成されているため、レンガ２００を組み上げる際に、レンガ２００の位置を微妙に変化させることができるので、レンガ２００に微妙なサイズの個体差があったとしても、レンガ２００をカットすることなく、レンガ２００を円形に組み上げることができる。
【００２７】
上述した第１の実施の形態に係るレンガ組用補助部材１００Ａは、二等辺三角形の頂角の部分がカットして得られる台形状に形成されているものであったが、図６に示すように、頂角の部分をカットしない平面視二等辺三角形状とすることも可能である。
この平面視二等辺三角形状の本考案の第２の実施の形態に係るレンガ組用補助部材１００Ｂは、図７に示すように、レンガ２００の角部２２０同士とレンガ組用補助部材１００Ｂの頂角１４０Ｂの部分とが接するようにしてレンガ２００の間に配置される。
【図面の簡単な説明】
【００２８】
【図１】本考案の第１の実施の形態に係るレンガ組用補助部材の概略的斜視図である。
【図２】本考案の第１の実施の形態に係るレンガ組用補助部材を用いてレンガを円形に組み合わせた状態を示す概略的平面図である。
【図３】本考案の第１の実施の形態に係るレンガ組用補助部材を用いてレンガを円形に組み合わせた状態を示す概略的平面図である。
【図４】本考案の第１の実施の形態に係るレンガ組用補助部材を用いてレンガを円形に組み合わせた状態を示す概略的斜視図である。
【図５】本考案の第１の実施の形態に係るレンガ組用補助部材を用いてレンガを円形かつ３段に組み合わせた状態の概略的斜視図である。
【図６】本考案の第２の実施の形態に係るレンガ組用補助部材の概略的斜視図である。
【図７】本考案の第２の実施の形態に係るレンガ組用補助部材を用いてレンガを円形に組み合わせた状態を示す概略的平面図である。
【符号の説明】
【００２９】
１００Ａ  レンガ組用補助部材
２００    レンガ
【図１】
0003135792.tif 000003
【図２】
0003135792.tif 000004
【図３】
0003135792.tif 000005
【図４】
0003135792.tif 000006
【図５】
0003135792.tif 000007
【図６】
0003135792.tif 000008
【図７】
0003135792.tif 000009